(57)【要約】      （修正有）【課題】少ない表面積で多数の被収納物を整列状態で固定して収納可能で、更に取り出しも容易で損傷することのない板状包装体の収納用トレーを提供する。【解決手段】熱軟化性薄板材を真空成形により収納凹部を頂面に形成したトレーであって、前記収納凹部は前記収納物を前記対向する板状辺が上下位置になるように傾斜させた状態で収納支持する傾斜面が形成されて断面がほぼ直角三角形を呈しており、前記収納物を収納したときに前記収納物の頂部側の板状辺における頂面に係止する係止突起が突設され、その底方に連続する前記傾斜面に前記収納物の頂面側の板状辺の底面に接触して前記係止突起との間に前記頂部側の板状辺を挟持する挟持突起が突設され、且つ前記傾斜面の底辺に沿って立設された前記収納凹部を形成する側壁の底部に前記傾斜面に沿って収納した収納物の底側の頂面に係止する係止突起が突設されている。【選択図】図１
2015182804.tif 000002
【特許請求の範囲】
【請求項１】
少なくとも互いに対向する辺が板状辺を呈する板状包装体である収納物を収納するための収納凹部を頂面に形成して熱軟化性薄板材を真空成形により加工して形成したトレーであって、前記収納凹部は前記収納物を前記対向する板状辺が上下位置になるように傾斜させた状態で収納支持する傾斜面が形成されて断面がほぼ直角三角形を呈しており、前記傾斜面の頂辺が接する収納凹部の開口端に沿って前記収納物を収納したときに前記収納物の頂部側の板状辺における頂面に係止する係止突起が突設がされているとともにその底方に連続する前記傾斜面に前記収納物の頂面側の板状辺の底面に接触して前記係止突起との間に前記頂部側の板状辺を挟持する挟持突起が突設されており、且つ前記傾斜面の底辺に沿って立設された前記収納凹部を形成する側壁の底部に前記傾斜面に沿って収納した収納物の底側の頂面に係止する係止突起が突設されていることを特徴とする板状包装体の収納用トレー。
【請求項２】
前記傾斜面の一部に収納した収納物の取出用の空部が形成されていることを特徴とする請求項１記載の板状包装体の収納用トレー。
【請求項３】
複数の前記収納凹部が頂面に連設されていることを特徴とする請求項１または２記載の板状包装体の収納用トレー。
【請求項４】
前記収納物が、重ね合わせた熱溶着シートおよびアルミニウム箔などの積層シートの周囲をヒートシールして板状辺を形成し、中央に形成された非接着領域に各種の流動物を充填した包装体であることを特徴とする請求項１，２または３記載の板状包装体の収納用トレー。
【発明の詳細な説明】
【技術分野】
【０００１】
本発明は、板状包装体を効率よく且つ損傷することなく収納可能な収納用トレーに関するものである。
【背景技術】
【０００２】
従来、例えば図５（ａ）および（ｂ）に示すように、重ね合わせた熱溶着シートおよびアルミニウム箔などの積層シート１１の周囲にヒートシールを施して適宜の弾性と硬さを生じさせるとともに中央に形成された非接着領域１２に例えば化粧料や薬剤などの各種の流動物１３などを充填した包装体が知られており、例えば試供品や１回限りの使い捨て用などの用途に用いられている。
【０００３】
また、前記包装体のような商品を保管しておくには例えば箱状或いはパレット状容器のようなものを用いると便利であり、その場合には包装体を箱やパレットなどに収装したトレーに１つずつ収納しておくと使いやすい。
【０００４】
図８はこの種の収納物１を収納するために用いられる従来周知のトレー２を示すもので、通常は頂面２１に収納物１を収納するための収納凹部２２を形成したもので、特に、前記収納凹部２２は収納物１の投影面とほぼ同形の開口形状を有するものである。
【０００５】
従って、通常、各種の表記がされている収納物１の表面が露出するので商品の種別などの判別には優れているが、収納物１を平面に並べたようになり、収納面積が大きくなり、トレー２に対して収納効率が低いという問題があり、保管に場所を取り、携行に不便であるなどの問題点がある。
【０００６】
また、従来のトレー２では前述のように収納凹部２２に収納物１を平面的に配置することになり、トレー２を水平に保たないと収納凹部２２に収納した収納物が抜け出てしまうことから、収納凹部の開口端に突起を突出させる手段や密接状態で収納させる手段をとることになるが、その結果、使用時に取り出しにくいという問題もあり、特に、例示の包装体（収納物）１では非接着領域１２の部分はヒートシールされておらず、軟質で薄い積層シート１１を取り出し時に爪などで破損してしまうという心配もある。
【先行技術文献】
【特許文献】
【０００７】
【特許文献１】実公平７−２３４０８号公報
【発明の概要】
【発明が解決しようとする課題】
【０００８】
本発明は少なくとも互いに対向する辺が板状辺を呈する板状包装体である収納物を収納するための収納凹部を頂面に形成したトレーが有する前記課題を解決するためになされたものであり、少ない表面積で多数の被収納物を収納可能であるばかりか、収納した収納物を確実に且つ見栄え良く整列させて収納可能で且つ確実に固定が可能であり、更に、取り出しも容易で損傷することのない板状包装体の収納用トレーを提供することを課題とする。
【課題を解決するための手段】
【０００９】
前記課題を解決するためになされた本発明である板状包装体の収納用トレーは、少なくとも互いに対向する辺が板状辺を呈する板状包装体である収納物を収納するための収納凹部を頂面に形成して熱軟化性薄板材を真空成形により加工して形成したトレーであって、前記収納凹部は前記収納物を前記対向する板状辺が上下位置になるように傾斜させた状態で収納支持する傾斜面が形成されて断面がほぼ直角三角形を呈しており、前記傾斜面の頂辺が接する収納凹部の開口端に沿って前記収納物を収納したときに前記収納物の頂部側の板状辺における頂面に係止する係止突起が突設されているとともにその底方に連続する前記傾斜面に前記収納物の頂面側の板状辺の底面に接触して前記係止突起との間に前記頂部側の板状辺を挟持する挟持突起が突設されており、且つ前記傾斜面の底辺に沿って立設された前記収納凹部を形成する側壁の底部に前記傾斜面に沿って収納した収納物の底側の頂面に係止する係止突起が突設されていることを特徴とする。
【００１０】
また、本発明において、前記傾斜面の一部に収納した収納物の取出用の空部が形成されている場合には取り出しが容易である。
【００１１】
更に、複数の前記収納凹部が頂面に連設されていることにより、１つのトレーに多数の収納物を収納することができる。
【００１２】
更にまた、収納物が、重ね合わせた熱溶着シートおよびアルミニウム箔などの積層シートの周囲をヒートシールして板状辺を形成し、中央に形成された非接着領域に各種の流動物を充填した包装体である場合には特に適している。
【発明の効果】
【００１３】
本発明によれば、板状包装体を少ない表面積で収納可能であるとともに収納状態も確実で移動の際にもずれたり、抜け出したりすることがなく、更に、見栄えもよく、加えて、取り出しも容易であり、特に一体成形が可能である等の利点を有している。
【図面の簡単な説明】
【００１４】
【図１】本発明の好ましい実施の形態を示す斜視図。
【図２】図１に示した実施の形態における異なる角度からの斜視図。
【図３】図１に示した実施の形態の使用状態を示す説明図。
【図４】図１に示した実施の形態における要部についての縦断面拡大図。
【図５】従来および本発明において使用される板状包装体の一例を示すものであり、（ａ）は斜視図、（ｂ）は（ａ）のＡ―Ａ線に沿う断面図。
【図６】本発明である板状包装体の収納用トレーの使用状態を示す説明図。
【図７】本発明である板状包装体の収納用トレーの異なる使用状態を示す説明図。
【図８】従来例を示す説明図。
【発明を実施するための形態】
【００１５】
図１乃至図４は本発明である板状包装体の収納用トレーの好ましい実施の形態を示すものであり、以下、詳細に説明する。少なくとも互いに対向する辺が板状辺を呈する板状包装体である収納物を並列して収容する場合を示しているが収納する数は問わない。
【００１６】
図５は実施の形態において使用される板状包装体である収容部１の好ましい例を示すものであり、重ね合わせた熱溶着シートおよびアルミニウム箔などの積層シート１１の周囲にヒートシールを施して適宜の弾性と硬さを生じさせるとともに中央に形成された非接着領域１２に例えば化粧料や薬剤などの各種の流動物１３などを充填したものであり、少なくとも長辺となる互いに対向する板状辺１４，１５を形成している。
【００１７】
そして、トレー２は、熱軟化性薄板材を真空成形により加工して形成され、頂面２１に３列並んでいる各収納凹部２２は収納物１を前記対向する板状辺１４，１５が上下位置になるように傾斜させた状態で収納支持する傾斜面２３が形成されて断面がほぼ直角三角形を呈している。
【００１８】
また、前記傾斜面２３の頂辺２３１が接する収納凹部２２の開口端２２１に沿って収納物１を収納したときに収納物１の頂部側の板状辺１４における頂面１４１に係止する係止突起２４，２４が突設されている。
【００１９】
更に、その底方に連続する傾斜面２３に収納物１の頂面側の板状辺１４の底面１４２に接触して前記係止突起２４，２４との間に頂面側の板状辺１４を挟持する挟持突起２５，２５が突設されている。
【００２０】
更にまた、傾斜面２３の底辺２３２に沿って立設された収納凹部２２を形成する側壁２６の底部に前記傾斜面２３に沿って収納した収納物１の底側の板状辺１５の頂面に係止する係止突起２７が突設されている。
【００２１】
また、本実施の形態では前記傾斜面２３は中央部を除いた二つの部材により形成されているとともにこの空部２３３に連続して側壁２６の一部および頂面２１に収納した収納物１の取出用の空部２６１がそれぞれ形成されている。
【００２２】
本実施の形態を使用するには、はじめに収納物１の底側の板状辺１５を頂面に係止突起２７が係止されるように差し込み、ついで傾斜面２３に沿って収納するとともに、収納物１の頂部側の板状辺１４を係止突起２４，２４と挟持突起２５，２５との間に挟み込んで固定すればよい。
【００２３】
このように本実施の形態では互いに対向して外周縁に形成される板状辺１４，１５により収納凹部２２に確実に保持される。このとき、収納物１は斜めに整列した状態で見栄えが良く、また、全ての収納物１が重なることなく露出しているので使用状態も容易に確認できる。
【００２４】
勿論、収納物は確実に収納凹部２２に保持されるのでトレー２をパレットなどの移動可能な容器に収容しても何ら問題がない。また、本実施の形態では収納物は全体が収納凹部２２内に没入しているとともに一部、特に、収容部は浮いた状態となっており、振動や衝撃による破損などを有効に防止することができる。
【００２５】
特に、本実施の形態では、側壁２６の一部および頂面２１に収納した収納物１の取出用の空部２６１が形成されているので取り出しもきわめて簡単である。
【００２６】
本実施の形態では収納物１として、図５に示したような板状包装体を用いたが、本発明では他の異なる形式の板状包装体についても同様に実施することができることは言うまでもない。
【００２７】
また、図６（ａ）（ｂ）は本発明であるトレー２を箱型の容器に使用した場合を、図７はパレット型の容器について使用した場合を示すものであり、他の用途にも使用できることは勿論である。
【符号の説明】
【００２８】
１  収納物、２  トレー、５  蓋体、１１  積層シート、１２  非接着領域、１３  流動物、１４  板状辺、１５  板状辺、２１  頂面、２２  収納凹部、２３  傾斜面、２４  係止突起、２５  挟持突起、２６  側壁、２７  係止突起、２２１  開口端、２３１  頂辺、２３２  底辺、２３３  空部、２６１  空部
【図１】
2015182804.tif 000003
【図２】
2015182804.tif 000004
【図３】
2015182804.tif 000005
【図４】
2015182804.tif 000006
【図５】
2015182804.tif 000007
【図６】
2015182804.tif 000008
【図７】
2015182804.tif 000009
【図８】
2015182804.tif 000010